(57)【要約】【課題】ターゲットの搬送過程において、ターゲットの平面性を確保するための吸着を実行しつつ、液体の付着により記録処理が施されたターゲットの乾燥ムラを抑制することができるターゲット支持装置、該ターゲット支持装置を備えたターゲット搬送装置、及び該ターゲット支持装置又はターゲット搬送装置を備えた記録装置を提供する。【解決手段】上流側から下流側に向けて搬送される記録紙Ｐを支持可能な支持面３０ａを有し且つ該支持面３０ａ上には吸引された場合に負圧を発生可能な吸引孔３１の吸引孔３１が少なくとも一つ形成されたプラテン３０を備え、プラテン３０の支持面３０ａ上には、記録紙Ｐの搬送方向から投影した際に、吸引孔３１が、支持面３０ａにおける記録紙Ｐの搬送方向と直交する幅方向の全域に亘って切れ目なく存在するように形成されている。【選択図】図２
2009249060.tif 000002
【特許請求の範囲】
【請求項１】
上流側から下流側に向けて搬送されるターゲットを支持可能な支持面を有し且つ該支持面上には吸引された場合に負圧を発生可能な吸引孔の吸引開口が少なくとも一つ形成された支持部材を備え、
該支持部材の前記支持面上には、前記ターゲットの搬送方向から投影した際に、前記吸引開口が、前記支持面における前記ターゲットの搬送方向と直交する幅方向の全域に亘って切れ目なく存在するように形成されていることを特徴とするターゲット支持装置。
【請求項２】
請求項１に記載のターゲット支持装置において、
前記支持面上には、前記吸引開口が複数形成されると共に、該複数の吸引開口により前記ターゲットの搬送方向と交差する方向に沿う吸引開口列が前記搬送方向に複数列形成されていることを特徴とするターゲット支持装置。
【請求項３】
請求項２に記載のターゲット支持装置において、
前記各吸引開口は、互いに同一の形状となるように形成されると共に、前記ターゲットの搬送方向と直交する幅方向での隣り合う吸引開口との間隙の距離は、前記吸引開口の開口幅と同一長さであり、
前記各吸引開口列は、一列ずつ交互に、各吸引開口列を構成する各吸引開口の位置が、前記ターゲットの搬送方向と直交する方向において前記吸引開口の開口幅と対応した距離ずつずれていることを特徴とするターゲット支持装置。
【請求項４】
請求項１〜請求項３のうち何れか一項に記載のターゲット支持装置において、
前記支持部材は、前記ターゲットの搬送方向と直交する幅方向において前記支持面を等分割した場合に、分割された各領域における前記吸引開口の占有比率が均一となるように構成されていることを特徴とするターゲット支持装置。
【請求項５】
請求項１〜請求項４のうち何れか一項に記載のターゲット支持装置において、
前記支持部材を加熱するための加熱手段を更に備えたことを特徴とするターゲット支持装置。
【請求項６】
請求項１〜請求項５のうち何れか一項に記載のターゲット支持装置と、
前記ターゲットと前記支持部材との間に介在して前記ターゲットを載置する搬送体とを備え、
前記搬送体は、前記吸引開口と連通可能な連通部を有し、
前記連通部が前記吸引開口と連通して前記吸引孔からの吸引力が前記ターゲットに及ぶことで、該ターゲットが前記搬送体に吸着されることを特徴とするターゲット搬送装置。
【請求項７】
支持部材の支持面上に支持されたターゲットに対して記録処理を施す記録手段と、
請求項１〜請求項５のうち何れか一項に記載のターゲット支持装置又は請求項６に記載のターゲット搬送装置を備えたことを特徴とする記録装置。
【発明の詳細な説明】
【技術分野】
【０００１】
本発明は、搬送途中で記録処理が施されるターゲットを吸着可能な支持面を有するターゲット支持装置、該ターゲット支持装置を備えたターゲット搬送装置、及び該ターゲット支持装置又はターゲット搬送装置を備えた記録装置に関する。
【背景技術】
【０００２】
従来、記録装置の一つとして、記録ヘッドからインクを吐出してターゲットに文字や画像を印刷するインクジェット式記録装置（以下、「プリンタ」と言う）が広く知られている（例えば、特許文献１）。この特許文献１に記載のプリンタには、ターゲットを支持するためのプラテン（支持部材）と、該プラテンに支持されるターゲットに対してインクを噴射する記録ヘッド（記録手段）とが設けられている。そして、プラテンよりも上流側からプラテン上にターゲットが搬送されると、ターゲットの搬送が一時停止された状態で、プラテン上のターゲットに対して記録ヘッドからインクが噴射されるようになっている。
【０００３】
また、プラテンの上面には、ターゲットの幅方向全域に亘って複数の吸引孔が形成されている。そして、これらの吸引孔内をファン（吸引手段）によって吸引することによりターゲットがプラテンに吸着される。その結果、ターゲットは、プラテン上での平面性が確保され、記録ヘッドから噴射されたインクがターゲットに対して好適に着弾するようになっている。
【０００４】
また、プラテンの下面部には、ターゲットの幅方向に延びる複数の加熱手段がプラテンに接触するように配設されている。そして、該加熱手段からの熱がプラテンを介して該プラテン上のターゲットに伝わることにより、ターゲットに着弾したインクを速やかに乾燥させることが可能となっている。
【特許文献１】特開２００６−１５０７２３号公報
【発明の開示】
【発明が解決しようとする課題】
【０００５】
ところで、特許文献１に記載のプリンタでは、吸引孔の円形状をなす吸引開口がプラテンの上面に正方格子状に配設されており、搬送方向に沿って形成された複数の吸引開口からなる吸引開口列が幅方向に所定の間隔をおいて複数列形成されている。そのため、ターゲットがプラテンの上面を通過する場合、ターゲットの特定の領域が各吸引開口列の吸引開口上を繰り返し通過する一方、この領域により幅方向に沿って挟まれた領域は吸引開口上を全く通過しない構成となっている。そのため、ターゲットには搬送方向に沿う筋状の高温部と低温部が生じ、ターゲットの記録領域に温度ムラが生じる。その結果、ターゲットの記録領域に吐出されたインクの乾燥の程度にバラツキが生じてしまい、印刷品質が低下するという問題があった。
【０００６】
なお、プラテンを加熱するための加熱手段を設けることなくターゲットを自然乾燥する構成とした記録装置であっても、ターゲットがプラテン上を通過する過程で吸引孔による吸引を受ける領域ではインクの乾燥が空気の流れにより促進されることから、上記同様に、ターゲットの記録領域に温度ムラが生じる虞があった。すなわち、ターゲットのうち各吸引開口列の吸引開口上を繰り返し通過する領域と、この領域に幅方向に沿って挟まれ吸引開口上を全く通過しない領域との間では、ターゲットに吐出されたインクの乾燥の程度に差異（乾燥ムラ）が生じるため、印刷品質が低下する虞があった。
【０００７】
本発明は、このような事情に鑑みてなされたものであり、その目的は、ターゲットの搬送過程において、ターゲットの平面性を確保するための吸着を実行しつつ、液体の付着により記録処理が施されたターゲットの乾燥ムラの発生を抑制することができるターゲット支持装置、該ターゲット支持装置を備えたターゲット搬送装置、及び該ターゲット支持装置又はターゲット搬送装置を備えた記録装置を提供することにある。
【課題を解決するための手段】
【０００８】
上記目的を達成するために、本発明のターゲット支持装置は、上流側から下流側に向けて搬送されるターゲットを支持可能な支持面を有し且つ該支持面上には吸引された場合に負圧を発生可能な吸引孔の吸引開口が少なくとも一つ形成された支持部材を備え、該支持部材の前記支持面上には、前記ターゲットの搬送方向から投影した際に、前記吸引開口が、前記支持面における前記ターゲットの搬送方向と直交する幅方向の全域に亘って切れ目なく存在するように形成されている。
【０００９】
上記構成によれば、ターゲットが支持面上を通過する過程で、ターゲットの全領域が少なくとも一度は吸引開口の配設位置を通過することとなる。そのため、ターゲットの搬送過程において吸引開口の配設位置を全く通過しない領域がターゲットに生じる従来のものよりもターゲットの乾燥ムラの発生が抑制される。したがって、ターゲットの平面性を確保するための吸着を実行しつつターゲットの乾燥ムラの発生を抑制することが可能となる。
【００１０】
また、本発明のターゲット支持装置において、前記支持面上には、前記吸引開口が複数形成されると共に、該複数の吸引開口により前記ターゲットの搬送方向と交差する方向に沿う吸引開口列が前記搬送方向に複数列形成されている。
【００１１】
上記構成によれば、ターゲットが支持面上を通過する過程で、ターゲットの全領域が吸引開口の配設位置を繰り返し通過することとなる。そのため、ターゲットに対する吸引開口を介した吸引の程度の差異によってターゲットの記録処理領域に乾燥ムラが生じることを抑制することが可能となる。
【００１２】
また、本発明のターゲット支持装置において、前記各吸引開口は、互いに同一の形状となるように形成されると共に、前記ターゲットの搬送方向と直交する幅方向での隣り合う吸引開口との間隙の距離は、前記吸引開口の開口幅と同一長さであり、前記各吸引開口列は、一列ずつ交互に、各吸引開口列を構成する各吸引開口の位置が、前記ターゲットの搬送方向と直交する方向において前記吸引開口の開口幅と対応した距離ずつずれている。
【００１３】
上記構成によれば、各吸引開口は支持部材の支持面上にほぼ均一に存在するようになるため、各吸引開口を介してターゲットに作用する吸引力は互いに等しくなる。そのため、ターゲットの全領域に亘ってほぼ均一に吸引力を作用させることができ、支持部材の支持面にターゲットを安定して吸着させることが可能となる。
【００１４】
また、本発明のターゲット支持装置において、前記支持部材は、前記ターゲットの搬送方向と直交する幅方向において前記支持面を等分割した場合に、分割された各領域における前記吸引開口の占有比率が均一となるように構成されている。
【００１５】
上記構成によれば、ターゲットが支持部材の支持面上を搬送される過程において、各吸引開口を介してターゲットに吸引力が作用する時間は該ターゲットの全領域に亘ってほぼ均一となる。そのため、ターゲットに対する吸引開口を介した吸引の程度の差異によってターゲットの記録処理領域に乾燥ムラが生じることを抑制することが可能となる。
【００１６】
また、本発明のターゲット支持装置において、前記支持部材を加熱するための加熱手段を更に備えた。
通常、加熱手段により支持部材を介してターゲットを加熱しても、該ターゲットにおける吸引開口上の領域は、支持部材に接触しないため十分に加熱されない。このため、ターゲットには、吸引開口上を通過する頻度の差異によって加熱ムラが生じてしまう。この点、上記構成によれば、ターゲットが支持面上を通過する過程で、ターゲットの全領域が少なくとも一度は吸引開口上を通過する構成となっているため、ターゲットに対する加熱ムラの発生を抑制しつつ該ターゲットを加熱乾燥することが可能となる。
【００１７】
また、本発明のターゲット搬送装置において、上記構成のターゲット支持装置と、前記ターゲットと前記支持部材との間に介在して前記ターゲットを載置する搬送体とを備え、前記搬送体は、前記吸引開口と連通可能な連通部を有し、前記連通部が前記吸引開口と連通して前記吸引孔からの吸引力が前記ターゲットに及ぶことで、該ターゲットが前記搬送体に吸着される。
【００１８】
上記構成によれば、ターゲットを支持部材の支持面上で搬送する搬送体を備えているため、ターゲットの形状は長尺状のものに制限されず、例えば断片状のターゲットを適用することが可能となる。加えて、搬送体は、支持部材の吸引孔と連通する連通部を有しているため、該連通部を通じて吸引孔からの吸引力がターゲットに及ぶことにより搬送体の上面に載置されたターゲットを搬送体に対して確実に吸着させることが可能となる。
【００１９】
また、本発明の記録装置において、支持部材の支持面上に支持されたターゲットに対して記録処理を施す記録手段と、上記構成のターゲット支持装置又は上記構成のターゲット搬送装置とを備えた。
【００２０】
上記構成によれば、上記ターゲット支持装置及び上記ターゲット搬送装置と同様の作用効果が得られる。
【発明を実施するための最良の形態】
【００２１】
以下、本発明の記録装置をインクジェット式プリンタに具体化した一実施形態を図１及び図２に基づいて説明する。
図１に示すように、記録装置としてのインクジェット式プリンタ１１は、ターゲットとしての記録紙Ｐを搬送するためのターゲット搬送装置としてのベルト搬送装置１２を備えている。ベルト搬送装置１２は、用紙搬送方向下流側に設けられた駆動ローラ１８と、用紙搬送方向上流側に設けられた従動ローラ１９と、駆動ローラ１８と従動ローラ１９の略中間位置の少し下側に配置されたテンションローラ２０とを備えている。各ローラ１８，１９，２０には、該各ローラ１８，１９，２０を囲むように、無端状の搬送体としての搬送ベルト２１が巻き掛けられている。
【００２２】
ベルト搬送装置１２の上流側（図１及び図２では右側）には給紙部１３が設けられ、給紙部１３とベルト搬送装置１２との間にはゲートローラ２２が設けられている。そして、給紙部１３に積重された記録紙Ｐは、給紙ローラ１４により一枚ずつゲートローラ２２を介してベルト搬送装置１２に給紙されるようになっている。一方、ベルト搬送装置１２の下流側（図１及び図２では左側）には、印刷後の記録紙Ｐを搬送ベルト２１上から排紙する排紙先となる排紙部１５が設けられている。したがって、排紙部１５には、印刷後の記録紙Ｐが順次積重されるようになっている。
【００２３】
搬送ベルト２１の内側であって駆動ローラ１８と従動ローラ１９との間の位置には、矩形箱状の支持部材としてのプラテン３０が、その上面である支持面３０ａを搬送ベルト２１に接触させるようにして設けられている。したがって、搬送ベルト２１は、その上面に載置された記録紙Ｐを上流側から下流側に向かって搬送する際には、支持面３０ａ上を摺動するようになっている。
【００２４】
プラテン３０の上方には、該プラテン３０の支持面３０ａと対向するように記録手段としての複数（本実施形態では４つ）の長尺状のラインヘッド方式の記録ヘッド２３が配置されている。各記録ヘッド２３は、搬送ベルト２１の幅方向（記録紙Ｐの搬送方向と直交する方向）と平行に延びており、記録紙Ｐの搬送方向に沿って並列に配置されている。各記録ヘッド２３はインク供給チューブ２７を介してインクカートリッジ２６と接続されており、それぞれ対応するインクカートリッジ２６から互いに異なる種類（色）のインクが該各記録ヘッド２３に供給されるようになっている。
【００２５】
各記録ヘッド２３の下面には、インクカートリッジ２６から供給されたインクを噴射するための多数のノズル（図示略）が設けられている。そして、搬送ベルト２１によって搬送される記録紙Ｐの搬送速度に合わせたタイミングで各ノズルから該記録紙Ｐにインクを順次噴射することで該記録紙Ｐの印刷（記録処理）が行われるようになっている。
【００２６】
次に、プラテン３０の構成について説明する。
図１及び図２に示すように、プラテン３０には、該プラテン３０を上下方向（プラテン３０の厚み方向）に貫通する多数の吸引孔３１が形成されている。各吸引孔３１は、プラテン３０の支持面３０ａ上で吸引開口を構成すると共に記録紙Ｐの搬送方向に長い長溝部３１ａと、該長溝部３１ａの内底面に連続して形成された小孔部３１ｂとにより構成されている。なお、小孔部３１ｂは長溝部３１ａの長手方向における中央部に位置している。また、記録紙Ｐの搬送方向と直交する方向において、長溝部３１ａの幅と小孔部３１ｂの幅とはほぼ同じになるように設定されている。
【００２７】
搬送方向と直交する方向である前後方向に沿って配列された複数の吸引孔３１により構成される複数列（本実施形態では４列）の吸引孔列（吸引開口列）３２は、搬送方向に沿う方向である左右方向に等間隔で配列されている。各吸引孔３１は、長溝部３１ａ（すなわち、吸引開口）が互いに同一の形状となるように形成されると共に、前後方向での隣り合う吸引孔３１の長溝部３１ａとの間隙３３の距離が、吸引孔３１における長溝部３１ａの前後方向の開口幅と同一長さとなるように形成されている。
【００２８】
各吸引孔列３２は、一列ずつ交互に、各吸引孔列３２を構成する各吸引孔３１における長溝部３１ａ（すなわち、吸引開口）の位置が、前後方向において吸引孔３１における長溝部３１ａの前後方向の開口幅と対応した距離ずつ位置がずれるように配置されている。そして、上述した各吸引孔３１の配置により、プラテン３０の支持面３０ａ上には、左右方向から投影した際に、吸引孔３１の長溝部３１ａにて構成される吸引開口が支持面３０ａ上における前後方向の全域に亘って切れ目なく存在するようになっている。
【００２９】
この場合、プラテン３０は、前後両端部の吸引孔３１が全く存在しない部分を除いた状態で、前後方向に支持面３０ａを等分割した場合に、分割された各分割領域における吸引孔３１（長溝部３１ａ）の占有比率が均一となるように構成されている。
【００３０】
また、プラテン３０の下面中央部には、該プラテン３０の内外を連通する開口部３０ｂが設けられているとともに、該開口部３０ｂを塞ぐように吸引ファン３４ａを有する誘引送風機３４が設けられている。プラテン３０内には、平面視で支持面３０ａと対応する形状をなす矩形板状の加熱手段としてのヒータ３６が該プラテン３０内の上面に対して下方から接触するように設けられている。ヒータ３６は、図示しない電源から電流が供給されることによって発熱し、プラテン３０の支持面３０ａ全体をほぼ均一に加熱するようになっている。したがって、ヒータ３６からの熱は、プラテン３０及び搬送ベルト２１を介して記録紙Ｐに伝わるようになっている。
【００３１】
ヒータ３６におけるプラテン３０の各吸引孔３１（小孔部３１ｂ）と対応する位置には、該ヒータ３６を上下方向に貫通する貫通孔３７がそれぞれ形成されている。また、搬送ベルト２１におけるプラテン３０の支持面３０ａ上に開口する各吸引孔３１（長溝部３１ａ）と対応する位置には、該各吸引孔３１と連通可能な連通部としての連通孔３５が該搬送ベルト２１を上下に貫通するようにそれぞれ形成されている。
【００３２】
そして、誘引送風機３４の駆動により吸引ファン３４ａが回転すると、開口部３０ｂを介してプラテン３０内が吸引されて各貫通孔３７内及び各吸引孔３１内に負圧が発生し、該負圧の発生によりプラテン３０側に記録紙Ｐが吸引されるようになっている。すなわち、各吸引孔３１からの吸引力が連通孔３５を通じて搬送ベルト２１上に載置された記録紙Ｐに及ぶことにより、記録紙Ｐが搬送ベルト２１上に吸着されるようになっている。
【００３３】
次に、上記のように構成されたインクジェット式プリンタ１１の作用について説明する。
さて、記録紙Ｐの印刷を行う場合には、誘引送風機３４を駆動させるとともにヒータ３６に電流を供給した状態で、駆動ローラ１８を駆動して搬送ベルト２１による記録紙Ｐの搬送を開始する。そして、記録紙Ｐが搬送ベルト２１によってプラテン３０上に搬送されると、誘引送風機３４の吸引力が、開口部３０ｂ、各貫通孔３７、各吸引孔３１、及び連通孔３５を介して搬送ベルト２１上に載置された記録紙Ｐに作用し、該記録紙Ｐが該搬送ベルト２１上に吸着される。
【００３４】
このとき、プラテン３０の支持面３０ａにはヒータ３６からの熱が均一に付与されているため、ヒータ３６からの熱は支持面３０ａから搬送ベルト２１越しに記録紙Ｐに伝わる。そして、ヒータ３６からの熱で暖められた状態の記録紙Ｐに各記録ヘッド２３の各ノズル（図示略）から噴射されたインクが付着することで該記録紙Ｐに印刷が行われる。
【００３５】
ここで、プラテン３０の支持面３０ａ上における各吸引孔３１の形成領域では、支持面３０ａと搬送ベルト２１とが接触しないため、支持面３０ａからの熱が搬送ベルト２１にほとんど伝わらない。その上、各吸引孔３１は周囲の空気を吸い込むため、このときの空気流によって、支持面３０ａ上における各吸引孔３１の形成領域では搬送ベルト２１が逆に冷却されてしまう。一方、支持面３０ａ上における各吸引孔３１の非形成領域では、支持面３０ａと搬送ベルト２１とが接触するため、搬送ベルト２１が加熱される。
【００３６】
この結果、搬送ベルト２１が支持面３０ａ上を摺動する過程で、搬送ベルト２１の各領域における支持面３０ａ上の各吸引孔３１の形成領域の通過時間のバラツキが大きいほど、搬送ベルト２１の加熱ムラ（温度ムラ）が大きくなって、搬送ベルト２１上の記録紙Ｐの各領域間で生じる温度差も大きくなる。
【００３７】
この点、本実施形態では、記録紙Ｐの搬送方向から投影した際に、各吸引孔３１（長溝部３１ａ）が、プラテン３０の支持面３０ａにおける記録紙Ｐの搬送方向と直交する方向の全域に亘って切れ目なく存在している。加えて、プラテン３０は、前後方向に支持面３０ａを等分割した場合に、分割された各領域における吸引孔３１の占有比率が均一となるように構成されている。
【００３８】
このため、プラテン３０の支持面３０ａ上を搬送ベルト２１が摺動する過程において、搬送ベルト２１の幅方向（前後方向）の全領域における吸引孔３１の形成領域を通過する頻度が均一になる。換言すれば、搬送ベルト２１が吸引孔３１の形成領域を通過する際にプラテン３０の支持面３０ａに対して非接触となる時間の総和が搬送ベルト２１の幅方向の全領域で均一となる。
【００３９】
この結果、プラテン３０の支持面３０ａ上を摺動する搬送ベルト２１の全領域に対して同程度の熱量が付与されるため、搬送ベルト２１の全領域にはほぼ均一な温度分布が形成される。このため、搬送ベルト２１上の記録紙Ｐにもほぼ均一に熱が付与されるので、印刷によって記録紙Ｐに付着したインクはほぼ均一に加熱乾燥される。なお、印刷が完了した記録紙Ｐは、搬送ベルト２１上から排紙部１５に排紙される。
【００４０】
上記実施形態によれば、以下の効果を得ることができる。
（１）上記実施形態では、記録紙Ｐが搬送ベルト２１を介してプラテン３０の支持面３０ａ上を摺動する過程で、記録紙Ｐの全領域が少なくとも一度は吸引孔３１（長溝部３１ａ）の配設位置を通過する。そのため、記録紙Ｐの搬送過程において吸引孔３１の配設位置を全く通過しない領域が記録紙Ｐに生じる従来よりも記録紙Ｐの加熱ムラの発生を抑制することができる。したがって、記録紙Ｐの平面性を確保するための吸着を実行しつつ、記録紙Ｐの乾燥ムラの発生を従来よりも抑制することができる。
【００４１】
（２）上記実施形態では、記録紙Ｐが搬送ベルト２１を介してプラテン３０の支持面３０ａ上を摺動する過程で、記録紙Ｐの幅方向の全領域が吸引孔３１の配設位置を繰り返し通過する。そのため、記録紙Ｐに対する吸引孔３１を介した吸引の程度の差によって記録紙Ｐの印刷領域に対して搬送方向に沿った乾燥ムラが生じることを抑制することができる。
【００４２】
（３）上記実施形態では、各吸引孔３１の長溝部３１ａは互いに同一の形状となるように形成されると共に、記録紙Ｐの幅方向での隣り合う吸引孔３１の長溝部３１ａとの間隙３３の距離は吸引孔３１の長溝部３１ａの開口幅と同一長さになっている。そして、吸引孔列３２は、一列ずつ交互に、各吸引孔列３２を構成する各吸引孔３１の長溝部３１ａの位置が、記録紙Ｐの幅方向（前後方向）において吸引孔３１の長溝部３１ａの開口幅と同じ距離分ずつずれている。このため、各吸引孔３１の長溝部３１ａはプラテン３０の支持面３０ａ上にほぼ均一に存在するようになるので、各吸引孔３１の長溝部３１ａ及び各連通孔３５を介して記録紙Ｐに作用する吸引力が互いに等しくなる。この結果、記録紙Ｐの幅方向の全領域に亘ってほぼ均一に吸引力を作用させることができ、搬送ベルト２１上に記録紙Ｐを安定して吸着させることができる。
【００４３】
（４）上記実施形態では、プラテン３０は、前後方向に支持面３０ａを等分割した場合に、分割された各領域における吸引孔３１の占有比率が均一となるように構成されている。このため、記録紙Ｐが搬送ベルト２１を介してプラテン３０の支持面３０ａ上を搬送される過程において、各吸引孔３１及び各連通孔３５を介して記録紙Ｐに吸引力が作用する時間は、該記録紙Ｐの全領域に亘ってほぼ均一となる。したがって、記録紙Ｐに対する各吸引孔３１及び各連通孔３５を介した吸引の程度の差によって記録紙Ｐの印刷領域に乾燥ムラが生じることを抑制することができる。
【００４４】
（５）通常、ヒータ３６によりプラテン３０を介して搬送ベルト２１を加熱しても、該搬送ベルト２１における各吸引孔３１と対向する領域は、プラテン３０に接触しないため十分に加熱されない。このため、搬送ベルト２１には、各吸引孔３１上を通過する頻度の差異によって加熱ムラが生じてしまう。この点、本実施形態によれば、搬送ベルト２１がプラテン３０の支持面３０ａ上を摺動する過程で、搬送ベルト２１の幅方向の全領域がほぼ同じ時間だけ吸引孔３１上を通過するため、搬送ベルト２１にはほぼ均一に熱が付与される。このため、搬送ベルト上の記録紙Ｐにもほぼ均一に熱が付与されるので、記録紙Ｐに対する加熱ムラの発生を抑制しつつ該記録紙Ｐを加熱乾燥することができる。
【００４５】
なお、上記実施形態は以下のように変更してもよい。
・図３（ａ）に示すように、吸引孔列３２を構成する吸引孔３１の間隙３３に対応する位置に、該吸引孔列３２とは搬送方向において異なる位置に設けられた他の吸引孔列３２を構成する吸引孔３１を配置する場合、各吸引孔列３２を複数列（図３（ａ）では２列）単位で交互に配置してもよい。また、各吸引孔列３２を不規則に配置する構成としてもよい。
【００４６】
・図３（ｂ）に示すように、吸引孔列３２は、搬送方向と直交する方向で隣り合う吸引孔３１との間隙３３の距離が吸引孔３１の開口幅の正の整数倍（図３（ｂ）では２倍）となるように配置してもよい。この場合、この間隙３３に対応する位置に、該吸引孔列３２とは搬送方向において異なる位置に設けられた他の吸引孔列３２を搬送方向と直交する方向にずらして複数列配置する必要がある。
【００４７】
・図３（ｃ）に示すように、正方格子状に配置された複数の吸引孔３１同士を任意の数単位（図３（ｃ）では２個単位）で互いに連結してもよい。この場合、吸引孔３１を搬送方向に沿って投影した場合、吸引孔３１が搬送方向と直交する幅方向の全域に亘って切れ目なく存在するように構成する必要がある。
【００４８】
・図３（ｄ）に示すように、搬送方向と直交する幅方向の全域に亘って切れ目なく開口した単一の略矩形渦巻き状をなす吸引孔３１によりプラテン３０の支持面３０ａにおける吸引開口を構成してもよい。
【００４９】
・上記実施形態において、プラテン３０を加熱するための加熱手段は、プラテン３０を介して記録紙Ｐに熱を伝えることが可能な構成であれば、ヒータ３６以外の任意の加熱手段であってもよい。例えば、プラテン３０内に流体が流動可能な流路を形成し、該流路内に暖かい流体（例えば、温水や熱風）を供給することにより、プラテン３０及びプラテン３０上の記録紙Ｐに熱を伝えるようにしてもよい。この場合、流路と暖かい流体とにより、加熱手段が構成されることになる。
【００５０】
・上記実施形態において、プラテン３０を加熱するための加熱手段は省いてもよい。
・上記実施形態において、ターゲットとして長尺状のロール紙を適用してもよい。この場合、搬送ベルト２１を省略することが可能となる。
【００５１】
・上記実施形態において、吸引孔３１は、プラテン３０の支持面３０ａに対して傾斜した斜状をなすように形成してもよい。
・上記実施形態において、記録装置はインクジェット式プリンタ１１に限定されない。例えば、熱転写プリンタ、ＴＡ（サーモオートクローム）プリンタ、レーザプリンタ等の他の印刷様式のプリンタにも適用できる。
【図面の簡単な説明】
【００５２】
【図１】本実施形態のプリンタの概略正面図。
【図２】本実施形態のプリンタにおけるベルト搬送装置の平面図。
【図３】（ａ）〜（ｄ）は別の実施形態のプラテンの平面図。
【符号の説明】
【００５３】
１１…記録装置としてのインクジェット式プリンタ、１２…ターゲット搬送装置としてのベルト搬送装置、２１…搬送体としての搬送ベルト、２３…記録手段としての記録ヘッド、３０…支持部材としてのプラテン、３０ａ…支持面、３１…吸引孔、３１ａ…吸引開口を構成する長溝部、３３…間隙、３５…連通部としての連通孔、３６…加熱手段としてのヒータ、Ｐ…ターゲットとしての記録紙。
【図１】
2009249060.tif 000003
【図２】
2009249060.tif 000004
【図３】
2009249060.tif 000005